(57)【要約】【課題】光記録媒体のランドプリピット（ＬＰＰ）検出誤りを低減した光記録媒体記録装置を提供すること。【解決手段】本発明では、光ビームの反射光から抽出した信号をスライスレベルと比較してアドレス情報を検出し、アドレス信号として出力する出力部と、出力部から出力されるアドレス信号の一部を所定の値にするアドレス訂正部と、ブロックアドレスの誤り判定及びブロックアドレスの連続性判定などにより出力部から出力されたアドレス信号に誤りアドレス訂正部で訂正されたアドレス信号に誤りがないと判定すると、スライスレベルを変更する基準レベル変更部とを有することとした。【選択図】図１
2006155709.tif 000002
【特許請求の範囲】
【請求項１】
データを記録可能な記録領域と、該記録領域に隣接し、複数のアドレス情報を有するアドレス領域とを有する光記録媒体に、光ビームを照射してデータの記録を行う光記録媒体記録装置において、
光ビームの反射光から抽出した信号を基準レベルと比較して前記アドレス情報を検出し、アドレス信号として出力する出力部と、
前記出力部から出力されるアドレス信号の一部を所定の値にするアドレス訂正部と、
前記出力部から出力されたアドレス信号に誤りがあるが、前記アドレス訂正部で訂正されたアドレス信号には誤りがないと判定すると、前記基準レベルを変更する基準レベル変更部とを有することを特徴とする光記録媒体記録装置。
【請求項２】
前記基準レベル変更部は、前記アドレス信号に含まれるアドレス誤り訂正信号に基づき、前記アドレス信号の誤りを検出することを特徴とする請求項１に記載の光記録媒体記録装置。
【請求項３】
前記基準レベル変更部は、前記出力部から出力される前記アドレス信号の規則性に基づき、前記アドレス信号の検出誤りを検出することを特徴とする請求項１または請求項２に記載の光記録媒体記録装置。
【請求項４】
前記アドレス領域において、前記アドレス情報は複数のランドプリピットから構成され、
前記基準レベル変更部は、前記アドレス領域の所定区間で検出されるアドレス信号を構成するランドプリピット信号の数と、前記アドレス信号を構成するプリッピット信号の検出誤り数とに基づき、前記アドレス信号の誤りを検出することを特徴とする請求項１ないし３のいずれかに記載の光記録媒体記録装置。
【請求項５】
前記アドレス領域において、前記アドレス情報は複数のランドプリピットから構成され、
前記基準レベル変更部は、前記アドレス領域の所定区間にあるアドレス情報を構成するランドプリピットの数を予測し、前記所定区間で検出されるアドレス信号を構成するランドプリピット信号の数と前記予測したランドプリピットの数とを比較することにより、前記アドレス信号の誤りを検出することを特徴とする請求項１ないし３のいずれかに記載の光記録媒体記録装置。
【請求項６】
データを記録可能なグルーブ領域と、グルーブ領域に隣接し、複数のアドレス情報を構成する複数のランドプリピットを有するランド領域とを有する光ディスクに、光ビームを照射してデータの記録を行う光ディスク装置において、
光ビームの反射光から抽出した信号を基準レベルと比較して前記ランドプリピットを検出し、ランドプリピット信号として出力する出力部と、
前記ランド領域の所定区間の検出において、前記出力部から出力される前記ランドプリピット信号の数と予測されるランドプリピット情報の数とを所定演算した結果に基づいて、前記基準レベルを調整する基準レベル変更部と
を有することを特徴とする光記録媒体記録装置。
【請求項７】
データを記録可能なデータ領域と、該データ領域に隣接し、複数のアドレス情報を有するアドレス領域とを有する光記録媒体のアドレス検出調整方法であって、
光ビームの反射光から抽出した信号を基準レベルと比較して前記アドレス情報を検出し、アドレス信号として出力する第１の工程と、
前記出力されたアドレス信号の一部を所定の値に訂正する第２の工程と
前記出力されたアドレス信号に誤りがあるが、前記訂正されたアドレス信号に誤りがないと判定すると、前記基準レベルを変更する第３の工程と、
を有することを特徴とする光記録媒体のアドレス検出調整方法。
【発明の詳細な説明】
【技術分野】
【０００１】
本発明は、データを記録可能な記録領域と、この記録領域に隣接し、複数のアドレス情報を有する領域とを有する光記録媒体に、光ビームを照射してデータの記録を行う光記録媒体記録装置に関するものである。
【背景技術】
【０００２】
記録型の光記録媒体には、未記録状態の情報記録領域にデータを記録するために、データを記録する位置を示すアドレス情報等が、光記録媒体の種類に応じてプリフォーマットとして予め記録されている。
【０００３】
たとえば、ＤＶＤ−Ｒ（Digital Versatile Disc - Recordable）などの光記録媒体では、アドレス情報等のプリフォーマットとして、ＬＰＰ（ランドプリピット）と呼ばれる方式が採用されている。
【０００４】
図13は、ＤＶＤ−Ｒなどの光記録媒体のプリフォーマットの状態を示す図である。
【０００５】
光記録媒体の基板100上には、情報を記録するトラックとしてグルーブ領域101と、グルーブ領域101間の領域であるランド領域102とが形成されている。
【０００６】
そして、ランド領域102には、ＤＶＤ−Ｒのアドレス情報等の記録に必要な情報を示す複数のプリプット（以下、「ＬＰＰ」とする。）103が形成されている。
【０００７】
以下、従来の光記録媒体記録装置におけるＬＰＰ103を検出する動作について説明する。
【０００８】
光記録媒体記録装置は、光記録媒体へ音楽や画像などのデータを書き込む際、光記録媒体の基板100上のグルーブ領域101を中心としてランド領域102を含む部分に光ビームＡを照射する。
【０００９】
照射された光ビームＡは、基板100上で反射され、複数に分割された受光領域をもつ受光素子で受光する。
【００１０】
受光素子はそれぞれの受光領域で受光した反射光をそれぞれ電気信号として出力し、これらの出力信号は演算器へ入力される。
【００１１】
演算器では、複数の出力信号の差分を基準レベル（スライスレベル）と比較してＬＰＰ（Land Pre-Pit）信号を抽出する。
【００１２】
光記録媒体記録装置は、このＬＰＰ信号から、アドレス情報等を検出する（たとえば、特許文献１、２参照。）。
【特許文献１】特開２０００−１９５０５８号公報
【特許文献２】特開２００３−５１１２０号公報
【発明の開示】
【発明が解決しようとする課題】
【００１３】
ところで、光記録媒体記録装置は、光記録媒体へのデータの書き込みをグルーブ領域101に記録マーク104を形成することによって行うが、光ビームＡの反射光の量は、この記録マーク104の形成の有無によって異なる。
【００１４】
したがって、グルーブ領域101に形成される記録マーク104に隣接するランド領域102にＬＰＰ103が存在すると、ランド領域102の反射率が低下して上述の差分信号の振幅レベルが低下してしまい、Ｓ／Ｎ比が悪化する。そして、予め設定されたスライスレベルでＬＰＰ103が検出できないという問題が生じる。
【００１５】
特に、ランド領域102に形成される所定のＬＰＰの位置には、図14のように、グルーブ領域101には一定の割合（ＤＶＤ−Ｒの場合は、17.58kHz周期）で同期信号として連続する記録ピットが必ず形成されるため、問題が大きい。
【課題を解決するための手段】
【００１６】
そこで、請求項１に係る本発明では、データを記録可能な記録領域と、記録領域に隣接し、複数のアドレス情報を有するアドレス領域とを有する光記録媒体に、光ビームを照射してデータの記録を行う光記録媒体記録装置において、光ビームの反射光から抽出した信号を基準レベルと比較してアドレス情報を検出し、アドレス信号として出力する出力部と、出力部から出力されるアドレス信号の一部を所定の値にするアドレス訂正部と、出力部から出力されたアドレス信号に誤りがあるがアドレス訂正部で訂正されたアドレス信号には誤りがないと判定すると、基準レベルを変更する基準レベル変更部とを有することとした。
【００１７】
また、請求項２に係る本発明では、請求項１に係る発明において、基準レベル変更部は、アドレス信号に含まれるアドレス誤り訂正信号に基づき、アドレス信号の誤りを検出することとした。
【００１８】
また、請求項３に係る本発明では、請求項１又は請求項２に係る発明において、基準レベル変更部は、出力部から出力されるアドレス信号の規則性に基づき、アドレス信号の検出誤りを検出することとした。
【００１９】
また、請求項４に係る本発明では、請求項１ないし請求項３のいずれかに係る発明において、アドレス領域において、アドレス情報は複数のランドプリピットから構成され、基準レベル変更部は、ランド領域の所定区間で検出されるアドレス信号を構成するランドプリピット信号の数と、アドレス信号を構成するプリッピット信号の検出誤り数とに基づき、アドレス信号の誤りを検出することとした。
【００２０】
また、請求項５に係る本発明では、請求項１ないし請求項３のいずれかに係る発明において、アドレス領域において、アドレス情報は複数のランドプリピットから構成され、基準レベル変更部は、アドレス領域の所定区間にあるアドレス情報を構成するランドプリピットの数を予測し、所定区間で検出されるアドレス信号を構成するランドプリピット信号の数と予測したランドプリピットの数とを比較することにより、アドレス信号の誤りを検出することとした。
【００２１】
また、請求項６に係る本発明では、データを記録可能なグルーブ領域と、グルーブ領域に隣接し、複数のアドレス情報を構成する複数のランドプリピットを有するランド領域とを有する光ディスクに、光ビームを照射してデータの記録を行う光ディスク装置において、光ビームの反射光から抽出した信号を基準レベルと比較してランドプリピットを検出し、ランドプリピット信号として出力する出力部と、ランド領域の所定区間の検出において、出力部から出力されるランドプリピット信号の数と予測されるランドプリピット情報の数とを所定演算した結果に基づいて、基準レベルを調整する基準レベル変更部とを有することとした。
【００２２】
また、請求項７に係る本発明では、データを記録可能なデータ領域と、該データ領域に隣接し、複数のアドレス情報を有するアドレス領域とを有する光記録媒体のアドレス検出調整方法であって、光ビームの反射光から抽出した信号を基準レベルと比較してアドレス情報を検出し、アドレス信号として出力する第１の工程と、出力されたアドレス信号の一部を所定の値に訂正する第２の工程と、出力されたアドレス信号に誤りがあるが、訂正されたアドレス信号に誤りがないと判定すると、基準レベルを変更する第３の工程とを有することとした。
【発明の効果】
【００２３】
そして、本発明では、以下に記載する効果を奏する。
【００２４】
すなわち、請求項１に係る本発明では、データを記録可能な記録領域と、記録領域に隣接し、複数のアドレス情報を有するアドレス領域とを有する光記録媒体に、光ビームを照射してデータの記録を行う光記録媒体記録装置において、光ビームの反射光から抽出した信号を基準レベルと比較してアドレス情報を検出し、アドレス信号として出力する出力部と、出力部から出力されるアドレス信号の一部を所定の値にするアドレス訂正部と、出力部から出力されたアドレス信号に誤りがあるがアドレス訂正部で訂正されたアドレス信号には誤りがないと判定すると、基準レベルを変更する基準レベル変更部とを有することとしているため、アドレス領域にあるアドレス情報の検出に誤りがある場合には、アドレス情報のうち検出する信号レベルが低下すると予め特定された部分の検出の誤りを判定することにより、アドレス情報の検出誤りを基準レベルの変更で調整できるか判定できる。そして、アドレス情報の検出誤りが基準レベルの変更で調整できると判定すると、基準レベルを下げる等の調整を動的に行うため、アドレス情報の検出誤りを確実に低減することができる。
【００２５】
また、請求項２係る本発明では、基準レベル変更部は、アドレス信号に含まれるアドレス誤り訂正信号に基づき、アドレス信号の誤りを検出することしているため、アドレス誤り訂正符号により容易にアドレス信号の誤りを検出することができる。
【００２６】
また、請求項３係る本発明では、基準レベル変更部は、出力部から出力されるアドレス信号の規則性に基づき、アドレス信号の検出誤りを検出することとしているため、アドレスの規則性（たとえば、アドレスの連続性）を利用することによって、たとえば、アドレス誤り訂正符号では検出できないアドレス信号の誤りを検出することができるため、より確率の高い誤り検出が可能となる。また、アドレス誤り符号による誤り検出も加えることにより、さらに正確な誤り検出をすることができる。
【００２７】
また、請求項４係る本発明では、アドレス領域において、アドレス情報は複数のランドプリピットから構成され、基準レベル変更部は、ランド領域の所定区間にあるアドレス情報を構成するランドプリピットの数を予測し、所定区間で検出されるアドレス信号を構成するランドプリピット信号の数と予測したランドプリピットの数とを比較することにより、アドレス信号の誤りを検出することとしているため、ランドプリピット単位でアドレス情報の検出誤りを検出することができ、より確率の高い誤り検出が可能となる。また、アドレス誤り符号による誤り検出やアドレスの規則性による誤り検出も加えることにより、さらに正確な誤り検出をすることができる。
【００２８】
また、請求項５係る本発明では、アドレス領域において、アドレス情報は複数のランドプリピットから構成され、基準レベル変更部は、アドレス領域の所定区間にあるアドレス情報を構成するランドプリピットの数を予測し、所定区間で検出されるアドレス信号を構成するランドプリピット信号の数と予測したランドプリピットの数とを比較することにより、アドレス信号の誤りを検出することとしているため、ランドプリピット単位でアドレス情報の検出誤りを検出することができ、より確率の高い誤り検出が可能となる。また、アドレス誤り符号による誤り検出やアドレスの規則性による誤り検出も加えることにより、さらに正確な誤り検出をすることができる。
【００２９】
また、請求項６係る本発明では、データを記録可能なグルーブ領域と、グルーブ領域に隣接し、複数のアドレス情報を構成する複数のランドプリピットを有するランド領域とを有する光ディスクに、光ビームを照射してデータの記録を行う光ディスク装置において、
光ビームの反射光から抽出した信号を基準レベルと比較してランドプリピットを検出し、ランドプリピット信号として出力する出力部と、ランド領域の所定区間の検出において、出力部から出力されるランドプリピット信号の数と予測されるランドプリピット情報の数とを所定演算した結果に基づいて、基準レベルを調整する基準レベル変更部とを有することとしているため、ランドプリピットの検出誤り数に応じた適切な基準レベルの調整が可能となり、アドレス情報の検出誤りを確実に低減することができる。
【００３０】
また、請求項７に係る本発明では、データを記録可能なデータ領域と、データ領域に隣接し、複数のアドレス情報を有するアドレス領域とを有する光記録媒体のアドレス検出調整方法であって、光ビームの反射光から抽出した信号を基準レベルと比較してアドレス情報を検出し、アドレス信号として出力する第１の工程と、出力されたアドレス信号の一部を所定の値に訂正する第２の工程と、出力されたアドレス信号に誤りがあるが、訂正されたアドレス信号に誤りがないと判定すると基準レベルを変更する第３の工程とを有することとしているため、アドレス領域にあるアドレス情報の検出に誤りがある場合には、アドレス情報のうち検出する信号レベルが低下すると予め特定された部分の検出の誤りを判定することにより、アドレス情報の検出誤りを基準レベルの変更で調整できるか判定できる。そして、アドレス情報の検出誤りが基準レベルの変更で調整できるものであれば、基準レベルを下げる等の調整を動的に行うため、アドレス情報の検出誤りを確実に低減することができる。
【発明を実施するための最良の形態】
【００３１】
以下、光記録媒体の構成、光記録媒体記録装置の構成及びその動作について、順に説明する。
【００３２】
まず、ＤＶＤ−ＲやＤＶＤ−ＲＷなどの光記録媒体２の構成について、図２〜７を用いて説明する。
【００３３】
光記録媒体２は、複数のセクタ(sector)を有しており、光記録媒体記録装置は、データの記録・再生をこのセクタ単位で行う。また、このセクタは、13行26同期フレームから構成されている。
【００３４】
以下、データ記録可能な記録領域であるグルーブ領域101及びアドレス情報等を有するアドレス領域であるランド領域102の１セクタの具体的構成を説明する。
【００３５】
図２に光記録媒体１のグルーブ領域101のセクタ構成を示す。
【００３６】
図２に示すように、一つのセクタは13行26同期フレームから構成され、各同期フレームは、その先頭に同期信号が配置され、次にチャネルビットデータが配置される。
【００３７】
なお、この同期信号は、チャネルビットデータとの識別のため、チャネルビットデータに現れる記録マークの長さよりも長い記録マーク（クロックを１Ｔとした場合に、14Ｔ）が配置される。
【００３８】
次に、ランド領域102のセクタ構成について説明する。
【００３９】
図３はランド領域102のセクタ構成を示す図であり、このランド領域102のセクタは、隣接するグルーブ領域101のセクタに対応するように配置されている。
【００４０】
また、このランド領域102のセクタは、グルーブ領域101の同期フレームに対応するように、13行26同期フレームから構成される。
【００４１】
そして、１行の２同期フレームは、１同期フレーム(奇数)と１同期フレーム(偶数)とで構成される。
【００４２】
ここで、図４に２同期フレームのグルーブ領域及びランド領域の物理的な外観を示す。
【００４３】
各同期フレームは８つのウォブル105の長さである。
【００４４】
また、1行目の同期フレームには、フレーム同期信号（Pre-pit Sync）が配置され、２行目以降の同期フレームには、プリピットデータ（Pre-pit data）0〜11が配置される。
【００４５】
そして、フレーム同期信号やプリピットデータ0〜11は、各行の２つの同期フレームのうちいずれかに格納される。
【００４６】
なお、フレーム同期信号及びプリピットデータ共に、１同期フレームのウォブルの最初の３頂点（１頂点目を「ｂ２」、２頂点目を「ｂ１」、３頂点目を「ｂ０」とする）の少なくとも一つに位置するように形成され、図５に示すようにｂ２〜ｂ０のＬＰＰの有無により、フレーム同期信号（偶数）と（奇数）、及びＬＰＰデータの「０」と「１」の識別できるように構成される。
【００４７】
また、プリピットデータ0〜3は、セクタのアドレス（以下「セクタアドレス」とする。）を意味し、プリピットデータ4〜11は、誤り訂正符号（ＥＣＣ）ブロックのアドレス（以下、「ブロックアドレス」とする。）等を構成するデータを意味する。
【００４８】
ここで、ＥＣＣブロックは、セクタ0000b〜1111b（16個のセクタ）により構成されており、ブロックアドレス及びそのParity A（以下、「ＥＣＣ誤り訂正符号」とする。）は、セクタアドレス0000b〜0101bのプリピットデータ4〜11から、フィールドＩＤやディスク情報並びにその誤り訂正符号（Parity B）は、セクタアドレス0110b〜1111bのプリピットデータ4〜11から、それぞれ構成される（図６参照）。
【００４９】
ここで、フレーム同期信号及びＬＰＰデータ共に、図４に示すようにｂ２の位置にＬＰＰ103が配置されることになる。
【００５０】
図７にｂ２位置付近で検出するＬＰＰ信号と同期信号との関係を示す。
【００５１】
ランド領域102のｂ２位置に隣接するグルーブ領域101には、上述のように比較的長い記録マークを含む同期信号が対応して存在し、同期信号の比較的長い記録マーク部分が、ｂ２位置のＬＰＰ信号をカバーするように隣接している。したがって、記録マークが必ず隣接するｂ２位置のＬＰＰ103は、ピックアップ４で検出される信号レベルが低下することになる。
【００５２】
次に、上述の光記録媒体１にデータを記録することができる光記録媒体記録装置の具体的構成について、以下図１を参照して説明する。
【００５３】
図１に示すように、光記録媒体記録装置１は、スピンドルモータ３と、ピックアップ４と、ＲＦアンプ５、サーボ６、二値化回路７、同期検出回路８、ＬＰＰ数計測回路９、偶数側ｂ２強制訂正回路10、奇数側ｂ２強制訂正回路11、アドレス抽出回路12、誤り訂正回路13、スライスレベル決定回路14、誤り数計測回路15、システムコントローラ16を有している。
【００５４】
スピンドルモータ３は、ＤＶＤ−ＲやＤＶＤ−ＲＷなどの光記録媒体２を回転するためのモータである。
【００５５】
ピックアップ４は、ＬＤ（レーザーダイオード）により光レーザを光記録媒体２に照射し、その反射光を複数の領域に分割された受光素子で受光する。そして、複数の領域で受光した反射光をそれぞれ電気信号に変換し、それらの電気信号の差分から、ウォブリング周波数成分とＬＰＰ信号成分を含むラジアルプッシュプル（Radial push-pull）信号を生成する。
【００５６】
出力部としてのＲＦアンプ５は、コンパレータ５ａを有し、このコンパレータ５ａによって、ピックアップ４から出力されたラジアルプッシュプル信号と基準レベル（以下、「スライスレベル」とする。）とが比較され、フレーム同期信号やアドレス信号等を表すＬＰＰ信号が抽出される。また、ＲＦアンプ５は、ラジアルプッシュプル信号からウォブリング周波数成分の抽出も行い、ウォブル二値化回路（図示せず）で二値化されたウォブル信号が生成される。
【００５７】
サーボ６は、ウォブル二値化回路で二値化されたウォブル信号に基づいて、スピンドルモータ３制御用の基準信号を抽出し、スピンドルモータ３を制御する。
【００５８】
二値化回路７は、ＲＦアンプ５で生成されたＬＰＰ信号の二値化を行い、二値化されたＬＰＰ信号を生成する。
【００５９】
同期検出回路８は、二値化されたＬＰＰ信号からフレーム同期信号を検出する。
【００６０】
ＬＰＰ数計測回路９は、二値化されたＬＰＰ信号のうち、フレーム同期信号及びプリピットデータ0〜13部分の「１」を示す信号（以下、「ＬＰＰ数」とする）をカウントする。
【００６１】
偶数側ｂ２強制訂正回路10は、二値化したＬＰＰ信号のうち、１同期フレーム（偶数）に対応するｂ２部分のＬＰＰ信号を強制的に「１」としてＬＰＰ信号を生成する回路である。
【００６２】
奇数側ｂ２強制訂正回路11は、二値化したＬＰＰ信号のうち、1同期フレーム（奇数）に対応するｂ２部分のＬＰＰ信号を強制的に「１」としてＬＰＰ信号を生成する回路である。
【００６３】
アドレス抽出回路12は、二値化したＬＰＰ信号（以下、「ＬＰＰ信号１」）、偶数側ｂ２強制訂正回路10により生成されたＬＰＰ信号（以下、「ＬＰＰ信号２」）、奇数側ｂ２強制訂正回路11により生成されたＬＰＰ信号（以下、「ＬＰＰ信号３」）のそれぞれについて、ブロックアドレスやＥＣＣ誤り訂正符号を検出し、それぞれ訂正前アドレス１、２、３として誤り訂正回路13へ出力する。
【００６４】
誤り訂正回路13は、アドレス抽出回路12から出力されるブロックアドレス及びＥＣＣ誤り訂正符号（訂正前アドレス１，２，３）を受け取り、ＥＣＣ誤り訂正符号に基づいてブロックアドレスの誤りを検出し、その誤り結果をそれぞれ誤り訂正結果１，２，３としてスライスレベル決定回路14及び誤り数計測回路15へ出力する。
【００６５】
また、ブロックアドレスの誤りがあればＥＣＣ誤り訂正符号に基づいて訂正したブロックアドレスを、又誤りがなければそのままのブロックアドレスを、訂正後のアドレス１，２，３としてスライスレベル決定回路14及びシステムコントローラ16へ出力する。
【００６６】
スライスレベル決定回路14は、誤り訂正回路１３から出力される訂正後のアドレス１，２，３及び誤り訂正結果１，２，３を受け取る。
【００６７】
次に、基準レベル変更部としてのスライスレベル決定回路14は、誤り訂正結果１，２，３によりＥＣＣ誤り訂正符号に基づいたブロックアドレスの誤りの有無を、訂正後アドレス１，２，３によりブロックアドレスの連続性を判定する。
【００６８】
そして、ブロックアドレスの誤りがあると判定し、又ブロックアドレスの連続性がないと判定すると、スライスレベル決定回路14は、ＲＦアンプ５のコンパレータ５ａのスライスレベルを変更する。なお、スライスレベルは、図８に示すように、スライスレベル１〜４の４段階であるとする。
【００６９】
また、スライスレベル決定回路14は、任意の区間の期待されるＬＰＰ数（以下、「ＬＰＰ数期待値」とする）を演算する。
【００７０】
誤り数計測回路15は、誤り訂正回路13から出力される誤り訂正結果１，２，３の数をそれぞれ計測し、それぞれ誤り数計測結果１，２，３として、スライスレベル決定回路14及びシステムコントローラ16へ出力する。
【００７１】
システムコントローラ16は、光記録媒体記録装置１全体を制御する。
【００７２】
以下に、本発明にかかる光記録媒体記録装置のスライスレベル補正動作について図９、図10のフローチャートを参照しながら説明する。
【００７３】
まず、光記録媒体記録装置１のシステムコントローラ16は、コンパレータ５ａのスライスレベルの補正が必要であるかどうかを判定するために、スピンドルモータ３、ピックアップ４及びサーボ６を動作させ、光記録媒体２へ光ビームを照射する。そして、光ビームの反射光をラジアルプッシュプル信号として取り出し、ＲＦアンプ５及び二値化回路７で二値化されたＬＰＰ信号を生成する。
【００７４】
二値化されたＬＰＰ信号は、３種類の経路でアドレス抽出回路12へ送られる。
【００７５】
一つ目の経路は、そのまま何も加工されずにアドレス抽出回路12へ送られる経路（経路１）、二つ目の経路は、偶数側ｂ２強制訂正回路10を介してアドレス抽出回路12へ送られる経路（経路２）、三つ目の経路は、奇数側ｂ２強制訂正回路11を介してアドレス抽出回路12へ送られる経路（経路３）である。
【００７６】
そして、それぞれの経路で送られたＬＰＰ信号は、アドレス抽出回路12において、それぞれ、ブロックアドレスとＥＣＣ誤り訂正符号の検出（以下、「ＥＣＣアドレス検出」とする）が行われる。
【００７７】
すなわち、経路１では、通常処理のＥＣＣアドレス検出が行われ、経路２では、１同期フレーム（偶数）に位置するｂ２が強制訂正（ｂ２が「０」であっても、「１」とされる）されたＬＰＰ信号のＥＣＣアドレス検出が行われ、経路３では、１同期フレーム（奇数）に位置するｂ２が強制訂正（ｂ２が「０」であっても、「１」とされる）されたＬＰＰ信号のＥＣＣアドレス検出が行われる。
【００７８】
次に、これらの検出の結果は、それぞれ誤り訂正回路13に出力される。
【００７９】
誤り訂正回路13は、それぞれＥＣＣ誤り訂正符号に基づいてブロックアドレスの誤りを検出する。また、ブロックアドレスの誤りがあればＥＣＣ誤り訂正符号に基づいてブロックアドレスを訂正する。
【００８０】
そして、誤り訂正回路13からスライスレベル決定回路14及びシステムコントローラ16へ、訂正後アドレス１〜３及び誤り訂正結果１，２，３が出力される（Ｓ１〜Ｓ３）。
【００８１】
スライスレベル決定回路14は、まず経路１に対応するブロックアドレスに誤りがあるか否かを、誤り訂正回路13から出力される誤り訂正結果１（経路１の誤り訂正結果）から判定する（Ｓ４）。
【００８２】
スライスレベル決定回路14は、経路１に対応するブロックアドレスに誤りがないと判定すると、ブロックアドレスの連続性の有無を判定する（Ｓ５）。ブロックアドレスの連続性は、訂正回路13から出力される訂正後アドレス１（経路１の訂正後アドレス）から判定される。すなわち、スライスレベル決定回路14は、訂正後アドレス１をランド領域102の所定区間計測し、その区間で順に計測される複数のブロックアドレスの規則性、たとえば、24h’010204、24h’010203、24h’010202というように−１ずつデクリメントされているというブロックアドレス連続性から判定する。
【００８３】
スライスレベル決定回路14は、訂正後アドレス１の連続性があると判定した場合には、スライスレベルを変更する必要がないと判定して、スライスレベルの変更は行わずに、スライスレベルの初期設定動作を終了する（Ｓ６）。
【００８４】
一方、スライスレベル決定回路14は、Ｓ４でブロックアドレスに誤りがあると判定した場合、又はＳ５で訂正後アドレス１の連続性がないと判定した場合、経路２に対応するブロックアドレスに誤りがあるか否かを、誤り訂正回路13から出力される誤り訂正結果２から判定する（Ｓ７）。
【００８５】
スライスレベル決定回路14は、経路２に対応するブロックアドレスに誤りがないと判定すると、ブロックアドレスの連続性の有無を判定する（Ｓ８）。
【００８６】
スライスレベル決定回路14は、経路２に対応するブロックアドレスの連続性があると判定した場合には、ｂ２位置のＬＰＰ103が検出できていないと判定し、スライスレベルを１つ上げる（Ｓ９）。例えば、スライスレベル３の場合には、スライスレベル２へ変更する。そして、スライスレベルの変更を完了すると再度Ｓ１からの処理を繰り返す。
【００８７】
一方、スライスレベル決定回路14は、Ｓ８でブロックアドレスに誤りがあると判定した場合及び、Ｓ９でブロックアドレスの連続性がないと判定した場合には、経路３に対応するブロックアドレスに誤りがあるか否かを、誤り訂正回路１３から出力される誤り訂正結果２から判定する（Ｓ10）。
【００８８】
スライスレベル決定回路14は、経路３に対応するブロックアドレスに誤りがないと判定すると、ブロックアドレスの連続性の有無を判定する（Ｓ11）。
【００８９】
スライスレベル決定回路14は、経路３に対応するブロックアドレスの連続性があると判定した場合には、ｂ２位置のＬＰＰ103が検出できていないと判定し、スライスレベルをレベル３からレベル２に上げる（Ｓ12）。例えば、スライスレベル３の場合には、スライスレベル２へ変更する。
【００９０】
そして、スライスレベルの変更を完了すると再度Ｓ１からの処理を繰り返す。
【００９１】
一方、スライスレベル決定回路14は、Ｓ１０でブロックアドレスに誤りがあると判定した場合及び、Ｓ１１でブロックアドレスの連続性がないと判定した場合には、ＬＰＰ数期待値とＬＰＰ数計測回路９でカウントされたＬＰＰの数とを比較する（Ｓ13）。
【００９２】
ここで、このＬＰＰ数期待値は、ＥＣＣブロックの最初の数セクタの情報から予測されるＬＰＰ数を算出できる。これは、ＥＣＣブロックを構成するセクタのうち、フレーム同期信号及びRelative Address（プリピット0〜3）が所定の値となることから予測が可能となるものである。
【００９３】
例えば、上記の比較の区間をＥＣＣブロックの最初の３セクタとした場合、３つのフレーム同期信号のＬＰＰ数は、偶数フレームにある場合９個（奇数フレームの場合は、６個）、Relative Addressはb’0000〜b’0010で１４個（b’0000は４個、b’0001は５個、b’0010は５個）であり、ＬＰＰ数期待値は２３個（フレーム同期信号が奇数フレームあれば、２０個）となる。
【００９４】
なお、さらにブロックアドレスを用いることにより、より精度の高い期待値を求めることもできる。例えば、ブロックアドレスが24h’010203の場合、ＬＰＰ数は28個であり、比較期間をＥＣＣブロックの最初の３セクタとした場合、ＬＰＰ数期待値は51個（フレーム同期信号が奇数フレームあれば、48個）となる。なお、ブロックアドレスは、その連続性から推測可能である。
【００９５】
ＬＰＰ数期待値とＬＰＰ数計測回路９でカウントされたＬＰＰとの比較の結果、ＬＰＰ数期待値よりもＬＰＰ数計測回路９でカウントされたＬＰＰの数の方が大きいと判定すると、現在設定されているスライスレベルではノイズ等の影響を受けて誤検出すると判定し、スライスレベルを下げる（Ｓ14）。例えば、スライスレベル２の状態からスライスレベル３の状態へ変更する。
【００９６】
そして、スライスレベルの変更を完了すると再度Ｓ１からの処理を繰り返す。
【００９７】
一方、予測されるＬＰＰ数よりもＬＰＰ数計測回路９でカウントされたＬＰＰの数の方が小さい若しくは同じであると判定すると、判定不能として現状のスライスレベルに固定する（Ｓ15）。
【００９８】
なお、以上の動作は、所定時間繰り返し行われ、所定時間経過後に終了するが、繰り返し回数で処理終了を行ってもよい。
【００９９】
なお、Ｓ14において、単にスライスレベルを単に下げるというのではなく、ＬＰＰ数期待値と実際のＬＰＰ数との差分に応じた細かい調整（例えば、式１を用いる）を行うようにしてもよい。
【０１００】
【数１】
2006155709.tif 000003
以上のように、アドレス情報のうち、検出する信号レベルが低下することが予め特定される部分の検出の誤り判定を、ブロックアドレスの誤り判定、ブロックアドレスの連続性判定及びＬＰＰ数により行って、スライスレベルの調整を動的に行うため、アドレス情報の検出誤りを確実に低減することができる。
【０１０１】
なお、本実施の形態における光記録媒体記録装置は、以上のように、ブロックアドレスの誤り判定、ブロックアドレスの連続性判定及びＬＰＰ数期待値との比較によって、スライスレベルの変更を行ったが、いずれか一つにより判定するようにしてもよい。例えば、ブロックアドレスの誤りとブロックアドレスの連続性との両方を判定することによって、スライスレベルを調整するのではなく、ブロックアドレスの誤り判定のみによって、スライスベルの調整をするようにしてもよい。
【０１０２】
また、本実施の形態におけるアドレスの連続性判定は、ブロックアドレスの連続性に基づいて行うこととして説明したが、Relative Addressの連続性（例えば、b’0000, b’0001, b’0010,・・・）に基づいて行うようにしてもよい。
【０１０３】
次に、本発明にかかる光記録媒体記録装置の別のスライスレベル補正動作について図11、図12のフローチャートを参照しながら説明する。
【０１０４】
上述の動作においては、ブロックアドレスの誤り判定及びブロックアドレスの連続性判定によって、スライスレベルの変更を行ったが、以下説明する動作においては、任意区間の誤り数計測によってスライスレベルの変更を行うものである。  
【０１０５】
Ｓ21〜Ｓ23までの動作は、実施の形態１で説明したＳ１〜３にそれぞれ対応し、同等であるため説明を省略する。
【０１０６】
誤り数計測回路15は、経路１に対応する任意区間のブロックアドレスに誤りの数を計測する（Ｓ24）。
【０１０７】
スライスレベル決定回路14は、誤り数計測回路15から通知される経路１に対応するブロックアドレスの誤り数（誤り数計測結果１）と所定の閾値と比較する（Ｓ25）。
【０１０８】
比較の結果、ブロックアドレスの誤り数所定の閾値より少ないと判定すると、スライスレベルを変更する必要がないと判定して、スライスレベルの変更は行わずに、スライスレベルの初期設定動作を終了する（Ｓ26）。
【０１０９】
一方、ブロックアドレスの誤り数所定の閾値以上であると判定すると、誤り数計測回路15は、経路２に対応する任意区間のブロックアドレスに誤りの数を計測する（Ｓ27）。
【０１１０】
スライスレベル決定回路14は、誤り数計測回路15から通知される経路２に対応するブロックアドレスの誤り数（誤り数計測結果２）が所定の閾値と比較する（Ｓ28）。
【０１１１】
比較の結果、ブロックアドレスの誤り数所定の閾値より少ないと判定すると、ｂ２位置のＬＰＰが検出できていないと判定し、スライスレベルを１つ上げる（Ｓ29）。例えば、スライスレベル３の場合には、スライスレベル２へ変更する。
【０１１２】
そして、スライスレベルの変更を完了すると再度Ｓ11からの処理を繰り返す。
【０１１３】
一方、ブロックアドレスの誤り数が所定の閾値以上の数であると判定すると、誤り数計測回路15は、経路３に対応する任意区間のブロックアドレスに誤りの数を計測する（Ｓ30）。
【０１１４】
スライスレベル決定回路14は、誤り数計測回路15から通知される経路３に対応するブロックアドレス（誤り数計測結果３）の誤り数が所定の閾値と比較する（Ｓ31）。
【０１１５】
比較の結果、ブロックアドレスの誤り数所定の閾値より少ないと判定すると、ｂ２位置のＬＰＰが検出できていないと判定し、スライスレベルを１つ上げる（Ｓ32）。例えば、スライスレベル３の場合には、スライスレベル２へ変更する。
【０１１６】
そして、スライスレベルの変更を完了すると再度Ｓ11からの処理を繰り返す。
一方、ブロックアドレスの誤り数が所定の閾値以上の数であると判定すると、ＬＰＰ数期待値とＬＰＰ数計測回路９でカウントされたＬＰＰの数とを比較する（Ｓ33）。
【０１１７】
Ｓ３３での比較の結果、ＬＰＰ数期待値よりもＬＰＰ数計測回路９でカウントされたＬＰＰの数の方が大きいと判定すると、現在設定されているスライスレベルではノイズ等の影響を受けて誤検出すると判定し、スライスレベルを下げる（Ｓ34）。例えば、スライスレベル２の状態からスライスレベル３の状態へ変更する。
【０１１８】
そして、スライスレベルの変更を完了すると再度Ｓ１１からの処理を繰り返す。
【０１１９】
一方、予測されるＬＰＰ数よりもＬＰＰ数計測回路９でカウントされたＬＰＰの数の方が小さい若しくは同じであると判定すると、判定不能として現状のスライスレベルに固定して、処理を終了する（Ｓ35）。
【０１２０】
以上のように、アドレス情報のうち、検出する信号レベルが低下することが予め特定される部分の検出の誤り判定を、ＬＰＰ数と任意区間の誤り数計測結果を用いて、スライスレベルの調整を動的に行うため、アドレス情報の検出誤りを確実に低減することができる。
【０１２１】
なお、以上のように、光記録媒体記録装置１は、光記録媒体２のランド領域のＬＰＰを検出することとして説明したが、これに限られない。
【０１２２】
また、上述のスライスレベル決定回路14の処理は、システムコントローラ16によって行ってもよく、またスライスレベル決定回路14及びシステムコントローラ16により分散処理を行ってもよい。
【０１２３】
また、フローチャートを用いて２つのスライスレベル補正動作を説明したが、適宜組み合わせ可能である。
【図面の簡単な説明】
【０１２４】
【図１】本発明に係る光記録媒体記録装置の具体的構成を示す図
【図２】光記録媒体のグルーブ領域のセクタ構成図
【図３】光記録媒体のランド領域のセクタ構成図
【図４】光記録媒体における２同期フレームの外観図
【図５】光記録媒体におけるランド領域のＬＰＰ変調ルール示す図
【図６】光記録媒体におけるＥＣＣブロックのＬＰＰデータの情報内容を示す図
【図７】光記録媒体のｂ２位置付近で検出するＬＰＰ信号と同期信号との関係図
【図８】本発明に係る光記録媒体記録装置のスライスレベル１〜４を示す図
【図９】本発明に係るスライスレベル補正動作フローチャート
【図１０】本発明に係るスライスレベル補正動作フローチャート
【図１１】本発明に係る別のスライスレベル補正動作フローチャート
【図１２】本発明に係る別のスライスレベル補正動作フローチャート
【図１３】光記録媒体のプリフォーマットの状態を示す図
【図１４】光記録媒体の記録マークとＬＰＰとの状態を示す図
【符号の説明】
【０１２５】
１  光記録媒体記録装置
２  光記録媒体
４  ピックアップ
５  ＲＦアンプ
５ａ  コンパレータ
９  ＬＰＰ数計測回路
１０  偶数側ｂ２強制訂正回路
１１  奇数側ｂ２強制訂正回路
１２  アドレス抽出回路
１３  誤り訂正回路
１４  スライスレベル決定回路
１５  誤り数計測回路
１６  システムコントローラ
【図１】
2006155709.tif 000004
【図２】
2006155709.tif 000005
【図３】
2006155709.tif 000006
【図４】
2006155709.tif 000007
【図５】
2006155709.tif 000008
【図６】
2006155709.tif 000009
【図７】
2006155709.tif 000010
【図８】
2006155709.tif 000011
【図９】
2006155709.tif 000012
【図１０】
2006155709.tif 000013
【図１１】
2006155709.tif 000014
【図１２】
2006155709.tif 000015
【図１３】
2006155709.tif 000016
【図１４】
2006155709.tif 000017